(57)【要約】【課題】外観を損なうことなく部品点数を削減しながら防水信頼性を確保する。【解決手段】アンテナ９を露出させるアンテナ挿通孔１０を有する背面側キャビネット４（筐体）にアンテナ９を囲む隔壁１１を有するアンテナ収容部１２を設け、この隔壁１１の側方にメイン基板７を配置する。少なくとも一部が背面側キャビネット４に埋め込まれるように背面側キャビネット４にインサート接点１４をインサート成形する。インサート接点１４により、隔壁１１を跨いでアンテナ収容部１２内のアンテナ９とメイン基板７の接点とを電気的に接続する。【選択図】図１
2014011742.tif 000002
【特許請求の範囲】
【請求項１】
アンテナを有する携帯端末において、
上記アンテナを露出させるアンテナ挿通孔を有する筐体と、
上記筐体に設けられ、上記アンテナを囲む隔壁を有するアンテナ収容部と、
上記隔壁の側方に配置されるメイン基板と、
少なくとも一部が上記筐体に埋め込まれるように該筐体にインサート成形され、上記隔壁を跨いで上記アンテナ収容部内の上記アンテナと上記メイン基板の接点とを結ぶインサート接点とを備えている
ことを特徴とする携帯端末。
【請求項２】
請求項１に記載の携帯端末において、
上記アンテナ収容部は、防水テープで覆われている
ことを特徴とする携帯端末。
【請求項３】
請求項１又は２に記載の携帯端末において、
上記インサート接点の上記基板側における上記筐体との境界面は、止水テープで覆われている
ことを特徴とする携帯端末。
【発明の詳細な説明】
【技術分野】
【０００１】
本発明は、アンテナを有する携帯端末に関するものである。
【背景技術】
【０００２】
この種の携帯電話機などのアンテナを有する通信可能な携帯端末では、例えば特許文献１のように、開口部が形成された筐体と、接続部が前記開口部から露出した状態で筐体の内部に配置される接続部材と、開口部を閉塞するカバー部材と、筐体の外面に対して収納された収納状態と、開放された開放状態との間で移動可能に筐体に取り付けられるアンテナ部材と、筐体に配設されて、アンテナ部材を収納状態で保持する保持部材とを備えている。カバー部材は、アンテナ部材が収納状態で保持部材にて保持されているときに、アンテナ部材にて筐体内部側に支持されている。
【０００３】
このようにアンテナ部材のほとんどが露出するのをデザイン的に避けたい場合には、例えば図９に示すように、電池蓋１０８の内部にアンテナ１０９を収容する構造がある。具体的には、メイン基板１０７とアンテナ１０９（デジタルテレビ又は通信アンテナ）との接点構造は、アンテナ１０９と電気的に接合される給電ピン１１３を筺体１０４の内部へ挿入し、そのピン先端をメイン基板１０７上に配置された電気接触可能な接点部品１１４に接触することで、電気特性を得ている。
【０００４】
また、図１０に示すようにアンテナ２０９を筺体２０４内部に格納し、アンテナ２０９から延びる接点２１４をメイン基板２０７に接続する構造もある。
【先行技術文献】
【特許文献】
【０００５】
【特許文献１】特開２００９−１０７１３号公報
【発明の概要】
【発明が解決しようとする課題】
【０００６】
しかしながら、図９のような構造では、（１）部品が厚さ方向に重複する構造になるため、製品厚みにある一定の制約事項が発生する点、（２）筺体１０４内部へ接点１１４を取るために、給電ピン１１３を内部接続させる貫通孔１１５を設けると、この貫通孔１１５は防水の観点では信頼性を低下させるため、周囲にＯリング１１６による止水を行う必要があると共に、このＯリング１１６の反発を抑えるビス１１７を周囲に配置する必要があり、部品点数の増加につながっている点、及び（３）電池蓋１０８を外した場合、アンテナ部１０９が露出するため、デザイン性が損なわれる点で問題がある。
【０００７】
一方、図１０に示すような内蔵タイプでは、アンテナ２０９を筺体２０４の内部に格納するため、上記問題点（１）及び（３）を回避できるものの、伸縮性があるデジタルテレビ用のアンテナ２０９では、アンテナ２０９を外部に露出させるための貫通孔が必要となり、その貫通孔から筐体内部への水の浸入を防ぐことができない。この課題は通信帯域をサポートするアンテナでも同様である。
【０００８】
本発明は、かかる点に鑑みてなされたものであり、その目的とするところは、外観を損なうことなく部品点数を削減しながら防水信頼性を確保することにある。
【課題を解決するための手段】
【０００９】
上記の目的を達成するために、この発明では、アンテナ収容部の隔壁を跨ぐようにインサート接点を筐体にインサート成形した。
【００１０】
具体的には、第１の発明では、アンテナを有する携帯端末を前提とする。
【００１１】
そして、上記携帯端末は、
上記アンテナを露出させるアンテナ挿通孔を有する筐体と、
上記筐体に設けられ、上記アンテナを囲む隔壁を有するアンテナ収容部と、
上記隔壁の側方に配置されるメイン基板と、
少なくとも一部が上記筐体に埋め込まれるように該筐体にインサート成形され、上記隔壁を跨いで上記アンテナ収容部内の上記アンテナと上記メイン基板の接点とを結ぶインサート接点とを備えている。
【００１２】
上記の構成によると、メイン基板とアンテナとは、隔壁で隔てられているので、アンテナ挿通孔からアンテナ収容部内に浸入した液体の防水が容易となっている。また、インサート接点により、隔壁で隔てられたアンテナとメイン基板とが電気的に接続される。インサート接点は、筐体にインサート成形されているので、従来のように給電台、給電ピン等の部品間の重複をなくすことで携帯端末全体を薄くすることができ、また部品点数削減と防水性能の確保とを達成できる。また、アンテナが筐体内に内蔵されているので、見映えがよい。
【００１３】
第２の発明では、第１の発明において、
上記アンテナ収容部は、防水テープで覆われている。
【００１４】
上記の構成によると、アンテナ挿通孔からアンテナ収容部内に浸入した液体は、防水テープによってメイン基板側へ流れない。
【００１５】
第３の発明では、第１又は第２の発明において、
上記インサート接点の上記基板側における上記筐体との境界面は、止水テープで覆われている。
【００１６】
上記の構成によると、インサート成形時にインサート接点周りに筐体を構成する樹脂との間に隙間が生じたとしても、アンテナ収容部内に浸入した液体がメイン基板側に浸入しないので、防水性が更に向上する。
【発明の効果】
【００１７】
以上説明したように、本発明によれば、アンテナを露出させるアンテナ挿通孔を有する筐体にアンテナを囲む隔壁を有するアンテナ収容部を設け、隔壁の側方にメイン基板を配置し、少なくとも一部が筐体に埋め込まれるようにインサート接点をインサート成形し、隔壁を跨いでアンテナ収容部内のアンテナとメイン基板の接点とを結ぶようにしたことにより、外観を損なうことなく部品点数を削減しながら防水信頼性を確保することができる。
【図面の簡単な説明】
【００１８】
【図１】図２のＩ−Ｉ線拡大断面図である。
【図２】本発明の実施形態に係る携帯電話機を示す斜視図である。
【図３】アンテナ収容部及びその周辺を拡大して示す斜視図である。
【図４】アンテナ収容部及びその周辺を拡大して示す分解斜視図である。
【図５】防水テープを外したアンテナ収容部及びその周辺を示す斜視図である。
【図６】アンテナ収容部、インサート接点、止水テープ及びその周辺を示す拡大斜視図である。
【図７】背面側キャビネットを省略したインサート接点及びその周辺を示す斜視図である。
【図８】背面側キャビネットを省略したインサート接点及びその周辺を別の方向から見た斜視図である。
【図９】従来技術を示す図１相当図である。
【図１０】別の従来技術を示す図１相当図である。
【発明を実施するための形態】
【００１９】
以下、本発明の実施形態を図面に基づいて説明する。
【００２０】
図１及び図２は本発明の実施形態に係る携帯端末としての携帯電話機１（スマートフォン）を示し、この携帯電話機１は、正面に表示部２が収容された正面側キャビネット３と、この正面側キャビネット３の背面側に結合される筐体としての背面側キャビネット４とを備えている。図１にも示すように、正面側キャビネット３にインサート成形された剛性フレーム５の正面側には、バッテリ６が内蔵されている。剛性フレーム５の背面側の背面側キャビネット４内には、メイン基板７が内蔵されている。
【００２１】
そして、図２及び図３に示すように、背面側キャビネット４の上端には、デジタルテレビ等の受信のための伸縮性のアンテナ９を露出させるアンテナ挿通孔１０が開口されている。
【００２２】
図４及び図５に示すように、背面側キャビネット４は、樹脂成形品であり、アンテナ９を囲む隔壁１１を有するアンテナ収容部１２が一体成形されている。アンテナ９の給電台１３が収容される部分は、隔壁１１が左側に膨出して膨出部１１ａが形成されている。メイン基板７は、この隔壁１１を隔てて左側に配置されている。
【００２３】
そして、この隔壁１１の背面側には、導電性のインサート接点１４がインサート成形されている。具体的には、このインサート接点１４は、導電性金属よりなり、図７及び図８に樹脂部分を取り除いて見やすくしたように、隔壁１１を跨ぐように背面側キャビネット４に埋め込まれる埋込部１４ａと、アンテナ収容部１２内のアンテナ９に電気的に接続されるアンテナ側接点１４ｂと、メイン基板７の接点と電気的に接続される基板側接点１４ｃとを有する。埋込部１４ａは、アンテナ側接点１４ｂ及び基板側接点１４ｃよりも上下の幅が狭く、背面側に折り曲げられている。図６に示すように、アンテナ側接点１４ｂ及び基板側接点１４ｃが背面側キャビネット４の樹脂部分から露出している。基板側接点１４ｃの背面側キャビネット４の樹脂部分との境界面は、防水性のある止水テープ１５で覆われている。
【００２４】
図１及び図７に示すように、アンテナ９とアンテナ側接点１４ｂとは、アンテナ側接点バネ１６で電気的に接続されている。同様に図１及び図８に示すように、基板側接点１４ｃとメイン基板７とは、基板側接点バネ１７で電気的に接続されている。
【００２５】
そして、図１及び図３に示すように、アンテナ収容部１２の正面側は、防水性のある防水テープ１８で密閉されている。
【００２６】
このように構成することで、アンテナ挿通孔１０からアンテナ収容部１２内に浸入した液体は、防水テープ１８によってメイン基板７側へ流れるのが効果的に防止される。また、図１０に示すような従来のアンテナ２０９の構造と同様にアンテナ９が背面側キャビネット４内に内蔵されているので、見映えがよい。
【００２７】
また、インサート接点１４は、背面側キャビネット４にインサート成形されているので、従来のように給電台、給電ピン等の部品間の重複をなくなって携帯電話機１全体を薄くすることができると共に、部品点数削減と防水性能の確保とを達成できる。
【００２８】
そして、止水テープ１５を設けたので、インサート接点１４周りに背面側キャビネット４を構成する樹脂との間に隙間が生じていても、アンテナ収容部１２内に浸入した液体がメイン基板７側に浸入しない。
【００２９】
したがって、本実施形態に係る携帯端末によると、外観を損なうことなく部品点数を削減しながら防水信頼性を確保することができる。
【００３０】
（その他の実施形態）
本発明は、上記実施形態について、以下のような構成としてもよい。
【００３１】
すなわち、上記実施形態では、アンテナ９は、デジタルテレビ用のアンテナとしたが、特に限定されず、他の通信用のアンテナでもよい。
【００３２】
上記実施形態では、携帯端末は、携帯電話機としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３３】
なお、以上の実施形態は、本質的に好ましい例示であって、本発明、その適用物や用途の範囲を制限することを意図するものではない。
【産業上の利用可能性】
【００３４】
以上説明したように、本発明は、デジタルテレビ等のアンテナを有する携帯電話機などの携帯端末について有用である。
【符号の説明】
【００３５】
１      携帯電話機（携帯端末）
２      表示部
３      正面側キャビネット
４      背面側キャビネット
５      剛性フレーム
６      バッテリ
７      メイン基板
９      アンテナ
１０      アンテナ挿通孔
１１      隔壁
１１ａ    膨出部
１２      アンテナ収容部
１３      給電台
１４      インサート接点
１４ａ    埋込部
１４ｂ    アンテナ側接点
１４ｃ    基板側接点
１５      止水テープ
１６      アンテナ側接点バネ
１７      基板側接点バネ
１８      防水テープ
【図１】
2014011742.tif 000003
【図２】
2014011742.tif 000004
【図３】
2014011742.tif 000005
【図４】
2014011742.tif 000006
【図５】
2014011742.tif 000007
【図６】
2014011742.tif 000008
【図９】
2014011742.tif 000009
【図１０】
2014011742.tif 000010
【図７】
2014011742.tif 000011
【図８】
2014011742.tif 000012